(57)【要約】【課題】電源からの電圧が駆動部に供給されていない状態でモータに逆起電力が生じた場合、駆動部の破壊を簡単に防止することができる電気機器の提供。【解決手段】電気機器１０１は、本体部１０４、カバー部材１０３、インターロックスイッチ１０５及び逆起電力防止用ダイオード１０６を備える。本体部１４０は、モータ駆動部１２４及び電源配線Ｒ１を有する。カバー部材１０３は、本体部１０４内部を露出させる開姿勢と、本体部１０４内部を外部から隔てる閉姿勢とを採り得る。インターロックスイッチ１０５は、電源配線Ｒ１の途中に設けられ、カバー部材１０３が閉姿勢の場合にはオンし、開姿勢の場合にはオフする。逆起電力防止用ダイオード１０６は、インターロックスイッチ１０５に並列に接続され、インターロックスイッチ１０５のオフ時にはモータ駆動部１２４の電源配線Ｒ１’から電源１２１側の電源配線Ｒ１’’に電流が流れるように接続されている。【選択図】図４
2008164999.tif 000002
【特許請求の範囲】
【請求項１】
モータと、モータを駆動させる駆動部と、電源から出力される所定の電圧を前記駆動部に供給する電源配線とを有する電気機器本体と、
前記電気機器本体の内部を露出させる開姿勢と、前記電気機器本体の内部を外部から隔てる閉姿勢とを採り得るカバー部材と、
前記電源配線の途中に設けられており、前記カバー部材が閉姿勢を採る場合には前記電源及び前記駆動部の接続をオンし、前記カバー部材が開姿勢を採る場合には前記電源及び前記駆動部の接続をオフにするインターロックスイッチと、
前記インターロックスイッチに並列に接続されており、前記電源及び前記駆動部の接続がオフである場合には前記駆動部側の電源配線から前記電源側の電源配線に電流が流れるように、前記電流の流れる方向を規制する少なくとも１つの第１ダイオードと、
を備える電気機器。
【請求項２】
前記駆動部は、オンまたはオフして前記モータを駆動させるための駆動信号を生成するスイッチング素子と、前記スイッチング素子に並列に接続された第２ダイオードとを含む、請求項１に記載の電気機器。
【発明の詳細な説明】
【技術分野】
【０００１】
本発明は、電気機器に関する。
【背景技術】
【０００２】
プリンタや複合機等の画像形成装置は、その本体内部に画像を形成するための様々なユニットを備えており、本体内部はカバー部材で覆われている。また、ユニットとしては、画像形成を行う画像形成部や用紙を画像形成部に搬送する用紙搬送路、これらのユニットに電力を供給する中高電圧の電源が挙げられる。
【０００３】
このような画像形成装置には、画像を形成している動作中にカバー部材が開けられた場合でもユーザの安全性を確保するために、カバー部材が開けられる動作に連動してユニットに電源からの電力を供給するための電源配線を切断し、ユニットの動作を停止させるインターロックスイッチが設けられたものがある。
【０００４】
しかし、例えば用紙搬送路上のレジストローラにおいて紙詰まりが発生した際にカバーが開けられ、紙詰まりを解消するために用紙が引き抜かれた場合、レジストローラを回転駆動させるためのモータが回転してしまう。すると、モータには逆起電力が生じ、モータを駆動させる駆動部内には逆起電力による電流が流れ、駆動部が破壊する恐れがある。
【０００５】
これに対し、図１に示すような画像形成装置が知られている（特許文献１）。図１の画像形成装置１は、電源２、インターロックスイッチ３、駆動部４、及び駆動部４により駆動されるモータ５を備える。モータ５は、レジストローラ等の画像形成装置１のユニットを回転させる。駆動部４は、ＣＰＵ１１と、ドライバ１２と、スイッチング素子Ｑ１〜Ｑ４と、ダイオードＤ１〜Ｄ４とを含む。特に、ＣＰＵ１１は、カバー部材が開けられインターロックスイッチ３がオフした時、駆動部４内のスイッチング素子Ｑ１〜Ｑ４がオフするように制御する。
【特許文献１】特開２００６−２０８５０２号公報
【発明の開示】
【発明が解決しようとする課題】
【０００６】
しかし、特許文献１に係るＣＰＵ１１は、カバー部材が開けられた場合にスイッチング素子Ｑ１〜Ｑ４をオフさせる制御を行うため、制御が複雑化してしまう。
【０００７】
また、一般的に、駆動部４内のスイッチング素子Ｑ１〜Ｑ４には、図１に示すように、例えばモータ５が急に停止した場合等にモータ５に発生する逆起電力により駆動部４が破壊されることを防止するためのダイオードＤ１〜Ｄ４が並列に接続されている。これにより、電源２から出力される所定電圧が駆動部４側の電源配線Ｖ１’に供給されている場合には、逆起電力が駆動部４の耐圧を越えた場合であっても、ダイオードＤ１，Ｄ３は、駆動部４に印加するモータ５からの逆起電力に応じた電圧を所定電圧でクリップさせることができる。そして、逆起電力による電流は、ダイオードＤ１，Ｄ３を流れる。しかし、インターロックスイッチ３がオフして電源配線Ｖ１が切断されると、電源２からの所定電圧は駆動部４側の電源配線Ｖ１’に供給されなくなる。この状態でモータ５に逆起電力が生じると、ダイオードＤ１〜Ｄ４は、逆起電力を所定電圧でクリップさせることができなくなる。従って、たとえＣＰＵ１１がスイッチング素子Ｑ１〜Ｑ４をオフさせたとしても、逆起電力が駆動部４の耐圧を越えた場合には、駆動部４は破壊する恐れがある。
【０００８】
そこで、本発明は、電源からの所定電圧が駆動部に供給されていない状態で、モータに逆起電力が生じた場合、駆動部の破壊を容易に防止することができる画像形成装置等の電気機器の提供を目的とする。
【課題を解決するための手段】
【０００９】
発明１に係る電気機器は、電気機器本体と、カバー部材と、インターロックスイッチと、少なくとも１つの第１ダイオードとを備える。電気機器本体は、モータと、モータを駆動させる駆動部と、電源から出力される所定の電圧を駆動部に供給する電源配線とを有する。カバー部材は、電気機器本体の内部を露出させる開姿勢と、電気機器本体の内部を外部から隔てる閉姿勢とを採り得る。インターロックスイッチは、電源配線の途中に設けられており、カバー部材が閉姿勢を採る場合には電源及び駆動部の接続をオンし、カバー部材が開姿勢を採る場合には電源及び駆動部の接続をオフにする。第１ダイオードは、インターロックスイッチに並列に接続されており、電源及び駆動部の接続がオフである場合には駆動部側の電源配線から電源側の電源配線に電流が流れるように、電流の流れる方向を規制する。
【００１０】
この電気機器によると、カバー部材が開いている場合、インターロックスイッチはオフの状態となる。この時、ユーザが不意にモータを回転させたりしてモータを駆動させてしまうと、モータには逆起電力が生じ、駆動部には通常時に流れる電流とは逆の方向（電源配線側）に電流が流れるが、この電流は、オフの状態にあるインターロックスイッチに並列に接続された第１ダイオードを介して電源に流れ込む。このように、インターロックスイッチがオフの状態であっても、駆動部側の電源配線は第１ダイオードを介して電源に接続されているため、駆動部とモータとを接続する出力端子における電圧は、電源からの所定の電圧に近い値にクリップされる。従って、逆起電力による電流が駆動部の耐圧以上流れ込んで駆動部が破壊されることを防ぐことができる。
【００１１】
発明２に係る電気機器は、発明１に係る電気機器であって、駆動部は、スイッチング素子と、第２ダイオードとを含む。スイッチング素子は、オンまたはオフしてモータを駆動させるための駆動信号を生成する。第２ダイオードは、スイッチング素子に並列に接続されている。
【００１２】
これにより、例えばインターロックスイッチがオフしている状態でモータに逆起電力が生じた場合、逆起電力による電流は、駆動部内のスイッチング素子を流れずに第２ダイオードを流れ、第２ダイオードを通じて電源配線側に流れる。従って、モータに逆起電力が生じた場合であっても、駆動部内のスイッチング素子が破壊することを防止することができる。
【００１３】
特に、逆起電力による電流は、第２ダイオードを流れた後第１ダイオードを流れる。これにより、駆動部とモータとを接続する出力端子においてクリップされる電圧の上限値は、ダイオードが１つの場合に比して上がるため、駆動手段の耐圧性が向上する。従って、逆起電力により発生した電流により駆動部が破壊されることをより防ぐことができる。
【発明の効果】
【００１４】
本発明の電気機器によると、電源からの所定電圧が駆動部に供給されていない状態でモータに逆起電力が生じても、駆動部の破壊を容易に防止するこができる。
【発明を実施するための最良の形態】
【００１５】
（１）構成
図２は、本実施形態に係る電気機器が採用された画像形成装置１０１の外観図である。この画像形成装置１０１は、複写機、プリンタ、ファクシミリ装置及びスキャナ装置としての機能を併せ持つ複合機の機種である。画像形成装置１０１は、図２及び図４に示すように、原稿カバー１０２、カバー部材１０３、本体部１０４、インターロックスイッチ１０５、逆起電力防止用ダイオード１０６（第１ダイオードに相当）及び給紙カセット１０７を含む。
【００１６】
〔原稿カバー〕
原稿カバー１０２は、原稿カバー１０２と対向する本体部１０４の部分に設けられた原稿載置台（図示せず）に載置された原稿を押さえるためのものであって、原稿載置台に対し開閉自在に本体部１０４に装着されている。
【００１７】
〔カバー部材〕
カバー部材１０３は、本体部１０４の前部に、本体部１０４に対しカバー部材１０３の端部１０３ａを回動軸として回動可能に装着されており、本体部１０４の内部を露出させる開姿勢と、本体部１０４の内部を外部から隔てる閉姿勢とを採り得る。
【００１８】
また、カバー部材１０３には、突出部材１０５ａが設けられている。より具体的には、突出部材１０５ａは、図３に示すように、カバー部材１０３に対し本体部１０４の内部の方向に突出しており、カバー部材１０３が閉姿勢を採る場合にインターロックスイッチ１０５の位置に対応するように、カバー部材１０３に設けられている。
【００１９】
〔本体部〕
本体部１０４は、図２に示すように、感光体ドラム１１１や、用紙搬送路１１２、レジストローラ１１３、転写ベルト１１４及び定着装置１１５等を含む。感光体ドラム１１１の表面には、画像データに基づいて静電潜像が形成される。用紙搬送路１１２は、給紙カセット１０７内の用紙をレジストローラ１１３に搬送する。レジストローラ１１３は、用紙搬送路１１２から送られてきた用紙を転写ベルト１１４に送り出すタイミングを制御する。転写ベルト１１４は、用紙搬送路１１２から送られてきた用紙に、画像を転写する。定着装置１１５は、用紙上に転写された画像を定着させる。
【００２０】
また、本実施形態に係る本体部１０４は、図４に示すように、２４Ｖ電源１２１、５Ｖ電源１２２、電源配線Ｒ１，Ｒ２、ＧＮＤ配線Ｇ１，Ｇ２、ＣＰＵ１２３、モータ駆動部１２４及びモータ１２５を備える。
【００２１】
２４Ｖ電源１２１及び５Ｖ電源１２２は、例えば画像形成装置１０１外部の商用電源等から供給される交流電圧を用いて、２４Ｖ及び５Ｖの直流電圧をそれぞれ生成する。
【００２２】
電源配線Ｒ１は、２４Ｖ電源１２１とモータ駆動部１２４とを接続しており、２４Ｖ電源１２１から出力された２４Ｖの直流電圧をモータ駆動部１２４に供給する。また、電源配線Ｒ１は、途中で分岐しており、２４Ｖの直流電圧をその他の負荷にも供給する。ここで、その他の負荷としては、感光体ドラム１１１の駆動源としてのモータ（図示せず）を駆動させるための駆動部（図示せず）等が挙げられる。電源配線Ｒ２は、５Ｖ電源１２２とＣＰＵ１２３とを接続しており、５Ｖ電源１２２から出力された５Ｖの直流電圧をＣＰＵ１２３に供給する。
【００２３】
ＧＮＤ配線Ｇ１は、２４Ｖの直流電圧に対するＧＮＤの配線であって、２４Ｖ電源１２１からモータ駆動部１２４、その他の負荷に向かって伸びている。ＧＮＤ配線Ｇ２は、５Ｖの直流電圧に対するＧＮＤの配線であって、５Ｖ電源１２２からＣＰＵ１２３に向かって伸びている。
【００２４】
ＣＰＵ１２３は、電源配線Ｒ２を介して５Ｖの直流電圧が供給されると、転写ベルト１１４及び定着装置１１５等の画像形成装置１０１の各ユニットの制御を行う。
【００２５】
モータ駆動部１２４は、電源配線Ｒ１を介して２４Ｖの直流電圧が供給されると、モータ１２５を駆動させる。モータ駆動部１２４は、図５に示すように、ＣＰＵ１２４ａ、ドライバ１２４ｂ及び出力回路１２４ｃを含む。
【００２６】
ＣＰＵ１２４ａは、ドライバ１２４ｂを制御する。より具体的には、ＣＰＵ１２４ａは、モータ１２５を駆動するための駆動信号ＳＵ，ＳＶを決定し、この駆動信号ＳＵ，ＳＶの生成指示などをドライバ１２４ｂに出力する。
【００２７】
ドライバ１２４ｂは、ＣＰＵ１２４ａにより決定された駆動信号ＳＵ、ＳＶが出力回路１２４ｃから出力されるように、出力回路１２４ｃにおけるバイポーラトランジスタQ１０１〜Q１０４（後述）をオン及びオフさせるためのゲート信号Ｇｕ，Ｇｘ，Ｇｖ，Ｇｙを生成し、出力回路１２４ｃに出力する。
【００２８】
出力回路１２４ｃは、バイポーラトランジスタQ１０１〜Q１０４（スイッチング素子に相当。以下、簡単にトランジスタという）と、各トランジスタQ１０１〜Q１０４に並列に接続されたフライホイールダイオードD１０１〜D１０４（第２ダイオードに相当）とを含む。トランジスタQ１０１及びQ１０２、Q１０３及びQ１０４は、それぞれ電源配線Ｒ１とＧＮＤ配線Ｇ１との間に直列に接続されている。フライホイールダイオードＤ１０１，Ｄ１０３は、トランジスタＱ１０１，Ｑ１０３をそれぞれ短絡するように接続され、フライホイールダイオードD１０２，D１０４は、トランジスタＱ１０２，Ｑ１０４をそれぞれ短絡するように接続されている。より具体的には、フライホイールダイオードＤ１０１，Ｄ１０３は、電源配線Ｒ１’側がカソードとなるように接続され、フライホイールダイオードＤ１０２，Ｄ１０４は、ＧＮＤ配線Ｇ１側がアノードとなるように接続されている。このような構成を有する出力回路１２４ｃでは、ドライバ１２４ｂから出力されるゲート信号Ｇｕ，Ｇｘ，Ｇｖ，Ｇｙが各トランジスタQ１０１〜Q１０４のゲート端子に印加されることでトランジスタＱ１０１〜Ｑ１０４はオン及びオフし、駆動信号ＳＵ，ＳＶが生成される。生成された駆動信号ＳＵ，ＳＶは、モータ駆動部１２４の出力端子ＮＵ，ＮＶを経てモータ１２５に出力される。
【００２９】
モータ１２５は、レジストローラ１１３の回転駆動源であって、モータ駆動部１２４から出力される駆動信号ＳＵ，ＳＶに基づいて回転を行う。ここで、本実施形態では、図５に示すように、モータ１２５は駆動コイル（図示せず）を有した２相モータである場合を例にとる。尚、モータ１２５の種類としては、ブラシレスモータやセンサレスモータ、直流モータ等が挙げられる。
【００３０】
〔インターロックスイッチ〕
インターロックスイッチ１０５は、図４に示すように、電源配線Ｒ１の途中に設けられており、カバー部材１０３が採り得る姿勢に伴い２４Ｖ電源１２１とモータ駆動部１２４とを接続及び切断する。
【００３１】
尚、インターロックスイッチ１０５の種類としては、例えばアクチュエータ及びソレノイドで構成される電磁ロック式やセンサでマグネットの磁場を検知するとオンするマグネット式、直接押下されることでオンする押下式等が挙げられるが、本実施形態では、押下式のインターロックスイッチを用いた場合を例に取る。
【００３２】
即ち、本実施形態では、図３に示すように、カバー部材１０３が開いた状態から閉じた状態となると、カバー部材１０３の突出部材１０５ａはインターロックスイッチ１０５を押下する。これにより、押下されたインターロックスイッチ１０５はオンして２４Ｖ電源１２１とモータ駆動部１２４とを接続するため、モータ駆動部１２４には２４Ｖ電源１２１から出力された２４Ｖの直流電圧が供給される。逆に、カバー部材１０３が閉じた状態から開いた状態となると、カバー部材１０３の突出部１０５ａはインターロックスイッチ１０５から離れ、インターロックスイッチ１０５はオフする。すると、２４Ｖ電源１２１とモータ駆動部１２４との接続は切断される。
【００３３】
〔逆起電力防止用ダイオード〕
逆起電力防止用ダイオード１０６は、図４に示すように、インターロックスイッチ１０５に並列に接続されており、２４Ｖ電源１２１及びモータ駆動部１２４の接続がオフである場合にはモータ駆動部１２４側の電源配線Ｒ１’から２４Ｖ電源１２１側の電源配線Ｒ１’’に電流が流れるように、電流の流れる方向を規制する。
【００３４】
より具体的には、逆起電力用防止ダイオード１０６のアノードはモータ駆動部１２４側の電源配線Ｒ１’に接続され、カソードは２４Ｖ電源１２１側の電源配線Ｒ１’’に接続されている。そのため、モータ１２５の駆動コイル（図示せず）に逆起電力が生じ、この逆起電力によりモータ駆動部１２４の出力端子ＮＵ，ＮＶからモータ駆動部１２４内を経て電源配線Ｒ１’に流れた電流は、逆起電力防止用ダイオード１０６及び２４Ｖ電源１２１側の電源配線Ｒ１’’を経て２４Ｖ電源１２１に流れ込む。
【００３５】
〔給紙カセット〕
給紙カセット１０７は、用紙を収納可能であって、図２に示すように本体部１０４の下部に２段設けられている。
【００３６】
（２）動作
次に、本実施形態に係る画像形成装置１０１の動作を、図６及び７を用いて説明する。尚、図６及び７は、カバー部材１０３が各姿勢を採る場合の、インターロックスイッチ１０５の状態及び電流の流れる向きを説明するための図である。図６及び７では、画像形成装置１０１のうち、本体部１０４，カバー部材１０３、インターロックスイッチ１０５、逆起電力防止ダイオード１０６，２４Ｖ電源１２１、モータ駆動部１２４の出力回路１２４ｃ、モータ１２５、及び各種配線Ｒ１，Ｇ１を抜き出して表している。
【００３７】
先ず、図６に示すように、カバー部材１０３が閉じた状態、即ち閉姿勢であるとする。この場合、インターロックスイッチ１０５は、カバー部材１０３の突出部材１０５ａにより押下されており、モータ駆動部１２４側の電源配線Ｒ１’と２４Ｖ電源１２１側の電源配線Ｒ１’’とを接続している。これにより、モータ駆動部１２４には、２４Ｖ電源１２１から出力される２４Ｖの直流電圧が供給される。この状態でモータ１２５が回転すると、電流は、２４Ｖ電源１２１から２４Ｖ電源１２１側の電源配線Ｒ１’’、インターロックスイッチ１０５及びモータ駆動部１２４側の電源配線Ｒ１’を経てモータ駆動部１２４の出力回路１２４ｃに流れる。次いで、この電流は、出力回路１２４ｃ内の上側のトランジスタＱ１０１、モータ１２５、出力回路１２４ｃ内の下側のトランジスタＱ１０４及びＧＮＤ配線Ｇ１を経てＧＮＤに流れる（図６の矢印Ａ）。ここで、図６では、トランジスタＱ１０１及びＱ１０４がオンし、トランジスタＱ１０２，Ｑ１０３がオフしている場合を示している。
【００３８】
また、カバー部材１０３が閉じておりモータ駆動部１２４の電源配線Ｒ１’には２４Ｖの直流電圧が供給されている際に、例えばモータ１２５に負荷がかかりモータ１２５内の駆動コイル（図示せず）に逆起電力が生じたとする。この場合、生じた逆起電力はモータ駆動部１２４の出力端子ＮＵ，ＮＶに印加されるが、モータ駆動部１２４側の電源配線Ｒ１’には２４Ｖの直流電圧が供給されているため、モータ駆動部１２４の出力端子ＮＵ，ＮＶに印加される電圧は、出力回路１２４ｃ内の上側のフライホイールダイオードＤ１０１，Ｄ１０３により２４Ｖ電源１２１から出力される電圧に近い値にクリップされる。より具体的には、出力端子ＮＵ，ＮＶに印加される電圧は、２４Ｖの直流電圧に、フライホイールダイオードＤ１０１，Ｄ１０３のダイオード特性による値を加えたもの（ダイオードを０．７Ｖ近似すると、約２４．７Ｖ）にクリップされる。そして、逆起電力によりモータ駆動部１２４の出力端子ＮＵ，ＮＶを経てモータ駆動部１２４の出力回路１２４ｃ内に流れ込んだ電流は、トランジスタＱ１０１〜Ｑ１０４を流れずにフライホイールダイオードＤ１０１，Ｄ１０３を流れた後、インターロックスイッチ１０５を介して２４Ｖ電源１２１に流れ込む。
【００３９】
次いで、画像形成装置１０１が印字動作を行っている際に、給紙カセット１０７から送られてきた用紙をレジストローラ１１３が挟んだ状態で紙詰まりが生じた場合について説明する。そして、画像形成装置１０１を使用しているユーザは、この紙詰まりを解消すべく、先ずはカバー部材１０３を開いたとする。
【００４０】
図７に示すように、カバー部材１０３が開かれた状態、即ち開姿勢となると、カバー部材１０３の突出部材１０５ａはインターロックスイッチ１０５から離れる。すると、インターロックスイッチ１０５はオフする。この場合、２４Ｖ電源１２１側の電源配線Ｒ１’’とモータ駆動部１２４側の電源配線Ｒ１’とはインターロックスイッチ１０５により切断された状態となるが、電流がモータ駆動部１２４の電源配線Ｒ１’側から逆起電力防止ダイオード１０６を通じて２４Ｖ電源１２１に通電可能な経路は残った状態となる。尚、本実施形態では、カバー部材１０３が開かれた場合、モータ駆動部１２４内のドライバ１２４ｂは、ゲート信号Ｇｕ，Ｇｘ，Ｇｖ，Ｇｙの出力を停止する場合を例にとる。即ち、カバー部材１０３が開かれた場合、モータ駆動部１２４における出力回路１２４ｃ内の各トランジスタＱ１０１〜Ｑ１０４には、ゲート信号Ｇｕ，Ｇｘ，Ｇｖ，Ｇｙが印加されないとする。
【００４１】
次いで、ユーザが、レジストローラ１１３の箇所で詰まっている紙を取り除く作業を行うべく、詰まった用紙を引っ張り出したとする。
【００４２】
レジストローラ１１３の箇所で詰まっている用紙がユーザにより引っ張り出されると、レジストローラ１１３に負荷がかかり、レジストローラ１１３が回転する。すると、レジストローラ１１３の回転駆動源であるモータ１２５も回転し、モータ１２５内の駆動コイル（図示せず）には逆起電力が発生する。この逆起電力はモータ駆動部１２４の出力端子ＮＵ，ＮＶに印加されるが、モータ駆動部１２４の出力端子ＮＵ，ＮＶはフライホイールダイオードＤ１０１，Ｄ１０３を介して電源配線Ｒ１’に接続されており、モータ駆動部１２４側の電源配線Ｒ１’は逆起電力防止ダイオード１０６を介して２４Ｖ電源１２１側の電源配線Ｒ１’’に接続されているため、モータ駆動部１２４の出力端子ＮＵ，ＮＶに印加される電圧は、２４Ｖ電源１２１から出力される電圧に近い値にクリップされる。より具体的には、出力端子ＮＵ，ＮＶに印加される電圧は、２４Ｖの直流電圧に、逆起電力防止ダイオード１０６及びフライホイールダイオードＤ１０１，Ｄ１０３のダイオード特性による値を加えたもの（ダイオードを０．７Ｖ近似すると、約２５．４Ｖ）にクリップされる。そして、逆起電力による電流は、トランジスタＱ１０１〜Ｑ１０４を流れずに、モータ駆動部１２４の出力端子ＮＵ，ＮＶ、出力回路１２４ｃ内の上側のフライホイールダイオードＤ１０１，Ｄ１０３、電源配線Ｒ１’、逆起電力防止ダイオード１０６及び２４Ｖ電源１２１側の電源配線Ｒ１’’を通じて２４Ｖ電源１２１に流れる（図７の矢印Ｂ）。これにより、トランジスタＱ１０１〜Ｑ１０４の耐圧以上の逆起電力が生じることによりトランジスタＱ１０１〜Ｑ１０４が破壊される現象が抑制される。
【００４３】
また、モータ駆動部１２４側の電源配線Ｒ１’が逆起電力防止ダイオード１０６を通じて２４Ｖ電源１２１に接続されているため、電源配線Ｒ１’に印加される電圧は、２４Ｖの直流電圧に逆起電力防止ダイオード１０６のダイオード特性による値を加えたもの（ダイオードを０．７Ｖ近似すると、約２４．７Ｖ）にクリップされる。従って、電源配線Ｒ１’を通じてモータ駆動部１２４に供給される電圧が逆起電力を受けて上昇する現象は、生じにくくなる。
【００４４】
（３）効果
本実施形態に係る画像形成装置１０１によると、カバー部材１０３が開いている場合、インターロックスイッチ１０５はオフの状態となる。この時、ユーザがレジストローラ１１３に詰まった用紙を取り除くなどにより不意にモータ１２５を回転させ駆動させてしまった場合、モータ１２５には逆起電力が生じ、モータ駆動部１２４には通常時に流れる電流とは逆の方向（即ち電源配線Ｒ１’側）に電流が流れる。しかし、この電流は、オフの状態にあるインターロックスイッチ１０５に並列に接続された逆起電力防止ダイオード１０６を流れ、２４Ｖ電源１２１に流れ込む。このように、インターロックスイッチ１０５がオフの状態であっても、モータ駆動部１２４側の電源配線Ｒ１’は逆起電力防止ダイオード１０６を介して２４Ｖ電源１２１に接続されているため、モータ駆動部１２４の出力端子ＮＵ，ＮＶに印加される電圧は、２４Ｖ電源１２１から出力される電圧に近い値にクリップされる。そして、逆起電力による電流は、モータ駆動部１２４における出力回路１２４ｃ内のトランジスタＱ１０１〜Ｑ１０４を流れずに、出力端子ＮＵ，ＮＶ、出力回路１２４ｃ内の上側のフライホイールダイオードＤ１０１，Ｄ１０３、電源配線Ｒ１’及び逆起電力防止ダイオード１０６を通じて２４Ｖ電源１２１に流れ込む。従って、逆起電力による電流がモータ駆動部１２４の耐圧以上に流れ込み、モータ駆動部１２４内の特にトランジスタＱ１０１〜Ｑ１０４が破壊されることを防ぐことができる。
【００４５】
また、モータ駆動部１２４側の電源配線Ｒ１’は逆起電力防止ダイオード１０６を通じて２４Ｖ電源１２１に接続されているため、電源配線Ｒ１’を通じてモータ駆動部１２４に供給される電圧が逆起電力の影響を受けて上昇する現象は、生じにくくなる。
【００４６】
特に、モータ駆動部１２４は、オンまたはオフして駆動信号ＳＵ，ＳＶを生成するトランジスタＱ１０１〜Ｑ１０４と、トランジスタＱ１０１〜Ｑ１０４に並列に接続されたフライホイールダイオードＤ１０１〜Ｄ１０４とを含む。従って、逆起電力による電流は、フライホイールダイオードＤ１０１，Ｄ１０３を通過した後逆起電力防止ダイオード１０６を通過する。これにより、出力端子ＮＵ，ＮＶにおいてクリップされる電圧の上限値は、ダイオードが１つの場合に比して上がるため、モータ駆動部１２４の耐圧性が向上する。従って、逆起電力により発生した電流によりモータ駆動部１２４が破壊されることをより防ぐことができる。
【００４７】
＜その他の実施形態＞
（ａ）上記実施形態では、逆起電力防止用ダイオード１０６が１つ設けられた場合について説明したが、これに限定されない。逆起電力防止用ダイオードは、例えば２つや３つ設けられても良い。図８は、逆起電力防止用ダイオードが２つ設けられた場合の画像形成装置の本体部２０４内部の構成を示す。図８のように、逆起電力防止用ダイオード２０６ａ，２０６ｂが複数設けられた場合、仮にいずれか１つの逆起電力防止用ダイオード（例えば逆起電力防止用ダイオード２０６ａ）が破損した場合であっても、もう１つの逆起電力防止用ダイオード（例えば逆起電力防止用ダイオード２０６ｂ）が破損しておらずダイオード特性を有していれば、モータ駆動部２２４の出力端子に印加される電圧を、２４Ｖ電源２２１から出力される電圧に近い値にクリップすることができる。従って、逆起電力防止用ダイオードを複数設ける程、逆起電力防止用ダイオードが１つ設けられた場合に比して、安全性が高まる。
【００４８】
尚、図８中の本体部２０４の構成のうち、逆起電力防止用ダイオード２０６ａ，２０６ｂ、モータ駆動部２２４、モータ駆動部２４側の電源配線Ｒ１１’以外のその他の構成については、上記実施形態で同じ名称を付して示した図４に係る２４Ｖ電源１２１、５Ｖ電源１２２、ＣＰＵ１２３、モータ１２５、レジストローラ１１３、インターロックスイッチ１０５、電源配線Ｒ１，Ｒ２，Ｒ１’’及びＧＮＤ配線Ｇ１，Ｇ２と同様の構成を有するため、詳細な説明を省略する。
【００４９】
（ｂ）上記実施形態では、カバー部材１０３が開かれた場合、モータ駆動部１２４内のドライバ１２４ｂは、出力回路１２４ｃ内の各トランジスタＱ１０１〜Ｑ１０４へのゲート信号Ｇｕ，Ｇｘ，Ｇｖ，Ｇｙの出力を停止すると説明したが、これに限定されない。ドライバ１２４ｂは、各トランジスタＱ１０１〜Ｑ１０４をオフにするためのゲート信号Ｇｕ，Ｇｘ，Ｇｖ，Ｇｙを出力してもよい。
【００５０】
（ｃ）上記実施形態では、モータ駆動部１２４に含まれるスイッチング素子がバイポーラトランジスタである場合を例に取り説明したが、スイッチング素子は、バイポーラトランジスタ以外であってもよい。その他の種類としては、ＭＯＳトランジスタや、絶縁ゲート型バイポーラトランジスタ等が挙げられる。
【００５１】
（ｄ）上記実施形態では、画像形成装置１０１の本体部１０４の前部におけるカバー部材１０３を例に取り説明したが、これに限定されない。例えば本体部１０４の側部におけるカバー部材においても、本発明を適用することができる。
【産業上の利用可能性】
【００５２】
本発明の電気機器は、複写機、プリンタ及びファクシミリ装置の各機種や、これらの機能に更にスキャナ機能を併せ持つ複合機の画像形成装置の他、フィニッシャー等に適用できる。即ち、本発明の電気機器は、本体内部を覆うカバー部材を備えていると共に、ユーザの安全性を確保するためにインターロックスイッチが設けられた電気機器であればどのような装置にも適用できる。
【図面の簡単な説明】
【００５３】
【図１】従来の画像形成装置の構成を示す図。
【図２】本実施形態に係る画像形成装置の外観及び内部構成を模式的に示す図。
【図３】本実施形態に係る画像形成装置を上から見た図。
【図４】本実施形態に係る本体部内部のモータ駆動部、電源及びモータの接続図。
【図５】本実施形態に係るモータ駆動部の内部を詳細に示した図。
【図６】本実施形態に係るカバー部材が閉じた状態時に、モータに通電される電流の経路を示した図。
【図７】本実施形態に係るカバー部材が開いた状態時に、モータに生じた逆起電力によりモータ駆動部内を流れる電流の経路を示した図。
【図８】その他の実施形態（ａ）に係る画像形成装置の本体部内部のモータ駆動部、電源及びモータの接続図。
【符号の説明】
【００５４】
１０１  画像形成装置
１０３  カバー部材
１０４  本体部
１０５  インターロックスイッチ
１０６  逆起電力防止用ダイオード
１１３  レジストローラ
１２４  モータ駆動部
１２４ａ  ＣＰＵ
１２４ｂ  ドライバ
１２４ｃ  出力回路
１２５  モータ
Ｒ１  電源配線
Ｑ１０１〜Ｑ１０４  バイポーラトランジスタ
Ｄ１０１〜Ｄ１０４  フライホイールダイオード
【図１】
2008164999.tif 000003
【図２】
2008164999.tif 000004
【図３】
2008164999.tif 000005
【図４】
2008164999.tif 000006
【図５】
2008164999.tif 000007
【図６】
2008164999.tif 000008
【図７】
2008164999.tif 000009
【図８】
2008164999.tif 000010